(57)【特許請求の範囲】
【請求項１】
床面に設置される脚部と、
前記脚部と連結し、駆動力を受けて昇降する座面と、
前記座面に対し後方に傾けることが可能な背もたれと、
前記座面の両側に設けられる肘掛とを備える座椅子において、
前記肘掛は前記背もたれに対し跳ね上げ可能であり、
前記肘掛を跳ね上げると、前記座面の幅方向で前記背もたれの幅より広くなり、ベッドに対して隙間なく並設が行えることを特徴とする座椅子。
【請求項２】
床面に設置される脚部と、
前記脚部と連結し、駆動力を受けて昇降する座面と、
前記座面に対し後方に傾けることが可能な背もたれと、
前記座面の両側に設けられる肘掛とを備える座椅子において、
前記肘掛を前記座面の幅方向に倒すと、前記座面に連続する平面部が形成され、前記座面の幅方向で前記座面と前記平面部とにより前記背もたれの幅より広くなり、前記平面部を介してベッドに対して隙間なく並設が行えることを特徴とする座椅子。
【発明の詳細な説明】
【技術分野】
【０００１】
本発明は、座椅子に関するものである。
【背景技術】
【０００２】
後述の特許文献１には、車輪付きの座椅子をベッド等の対象物へ寄せて、利用者を対象物に移乗させる技術が開示されている。車輪部の幅が、製品における最大の幅となっている。
【特許文献１】特開２００２−８５４６１号公報
【発明の開示】
【発明が解決しようとする課題】
【０００３】
しかし、上述のものでは、製品における最大の幅を持つ部分が車輪部になる為、ベッドに対して幅方向に寄せると車輪幅分ベッドと座面の間に隙間が生まれる。このため、利用者が座面からベッドに移乗する際には、隙間をなくすため公知のスライディングボード等を用いなければならず、利用者が容易に移乗できなかった。
【０００４】
よって、本発明は上記の問題点に鑑みてなされたものであり、移乗性を向上できる座椅子を提供することを課題とする。
【課題を解決するための手段】
【０００５】
上記課題を解決するために、本発明にて講じた技術的手段は、請求項１に記載の様に、床面に設置される脚部と、前記脚部と連結し、駆動力を受けて昇降する座面と、前記座面に対し後方に傾けることが可能な背もたれと、前記座面の両側に設けられる肘掛とを備える座椅子において、前記肘掛は前記背もたれに対し跳ね上げ可能であり、前記肘掛を跳ね上げると、前記座面の幅方向で前記背もたれの幅より広くなり、ベッドに対して隙間なく並設が行える構成としたことである。
【０００６】
上記課題を解決するために、本発明にて講じた技術的手段は、請求項２に記載の様に、床面に設置される脚部と、前記脚部と連結し、駆動力を受けて昇降する座面と、前記座面に対し後方に傾けることが可能な背もたれと、前記座面の両側に設けられる肘掛とを備える座椅子において、前記肘掛を前記座面の幅方向に倒すと、前記座面に連続する平面部が形成され、前記座面の幅方向で前記座面と前記平面部とにより前記背もたれの幅より広くなり、前記平面部を介してベッドに対して隙間なく並設が行える構成としたことである。
【発明の効果】
【０００７】
本発明によれば、肘掛を跳ね上げると座面の幅方向で背もたれの幅より広くなり、座面の幅が座椅子における最大の幅となるので、座椅子の座面と対象物（例えばベッドや車椅子）とを座面の幅方向に隙間なくぴったりと並べることができる。これにより、座椅子の利用者が座面から対象物により容易に移乗でき、座椅子の移乗性を向上できる。
【０００８】
本発明によれば、肘掛を座面の幅方向に倒すと、座面に連続する平面部が形成され、座面の幅方向で座面と平面部とにより背もたれの幅より広くなり、座面と平面部を合わせた幅が座椅子における最大の幅となるので、座面と連続する平面部と対象物（例えばベッドや車椅子）とを座面の幅方向に隙間なくぴったりと並べることができる。これにより、座椅子の利用者が座面から対象物に平面部を介してより容易に移乗でき、座椅子の移乗性を向上できる。
【発明を実施するための最良の形態】
【０００９】
以下、本発明を実施するための最良の形態を、図面を基に説明する。
【００１０】
図１は、本発明に係る座椅子１の斜視図である。座椅子１は、脚部２と、座面３とを備えている。脚部２は、床面４に設置され、座椅子１を支える部分である。座面３は、座椅子１の利用者が座る部位である。座面３は、脚部２と連結し、アクチュエータ（図示なし）から駆動力を受けて昇降する。座椅子１は、さらに、座面３に対して後方に傾けることのできる背もたれ５と、跳ね上げ可能な肘掛６とを備えている。本実施形態に係る座椅子１では、座面３の幅が座椅子１における最大の幅となっている。この構造によれば、例えば同図に示す様に座椅子１とベッド７をいっしょに使う場合に、座椅子１の座面３とベッド７とを座面３の幅方向に隙間なくぴったりと並べることができる。これにより、座椅子１の利用者は、公知のスライディングボード等を用いることなく、肘掛６を跳ね上げた後、座椅子１の座面３からベッド７により容易に移乗できる。
【００１１】
図２は、本発明の他の実施形態に係る座椅子１１の斜視図である。座椅子１１は、脚部１２と、座面１３とを備えている。脚部１２は、床面４に設置され、座椅子１１を支える部分である。座面１３は、座椅子１１の利用者が座る部位である。座面１３は、脚部１２と連結し、アクチュエータ（図示なし）から駆動力を受けて昇降する。座椅子１１は、さらに、座面１３に対して後方に傾けることのできる背もたれ１５と、肘掛１６とを備えている。肘掛１６は可動式で、同図に示す様に、座面１３の幅方向に倒すことができる。倒された肘掛１６は、座面１３と同一面（同じ高さの面）を形成し、座面１３と幅方向に連続する平面部１７を形成する。本実施形態に係る座椅子１１では、座面１３と平面部１７を合わせた幅が座椅子１１における最大の幅となっている。この構造によれば、例えば同図に示す様に座椅子１１とベッド７をいっしょに使う場合に、座面１３と連続する平面部１７とベッド７とを座面１３の幅方向に隙間なくぴったりと並べることができる。これにより、座椅子１１の利用者は、公知のスライディングボード等を用いることなく、座椅子１１の座面１３からベッド７に平面部１７を介してより容易に移乗できる。
【００１２】
図３は、本発明の他の実施形態に係る座椅子２１の斜視図である。座椅子２１は、脚部２２と、座面２３とを備えている。脚部２２は、床面４に設置され、座椅子２１を支える部分である。座面２３は、座椅子２１の利用者が座る部位である。座面２３は、脚部２２と連結し、アクチュエータ（図示なし）から駆動力を受けて昇降する。座椅子２１は、さらに、座面２３に対して後方に傾けることのできる背もたれ２５と、肘掛２６とを備えている。肘掛２６は可動式で、同図に示す様に、座面１３に対して下方に移動できる。下方に移動した肘掛２６は、座面２３と同一面（同じ高さの面）を形成し、座面２３と幅方向に連続する平面部２７を形成する。本実施形態に係る座椅子２１では、座面２３と平面部２７を合わせた幅が座椅子２１における最大の幅となっている。この構造によれば、例えば同図に示す様に座椅子２１とベッド７をいっしょに使う場合に、座面２３と連続する平面部２７とベッド７とを座面２３の幅方向に隙間なくぴったりと並べることができる。これにより、座椅子２１の利用者は、公知のスライディングボード等を用いることなく、座椅子２１の座面２３からベッド７に平面部２７を介してより容易に移乗できる。
【図面の簡単な説明】
【００１３】
【図１】本発明に係る座椅子１の斜視図。
【図２】本発明の他の実施形態に係る座椅子１１の斜視図。
【図３】本発明の他の実施形態に係る座椅子２１の斜視図。
【符号の説明】
【００１４】
１  座椅子
２  脚部
３  座面
４  床面
１１  座椅子
１２  脚部
１３  座面
１６  肘掛
１７  平面部
２１  座椅子
２２  脚部
２３  座面
２６  肘掛
２７  平面部
【図１】
0004929941.tif 000002
【図２】
0004929941.tif 000003
【図３】
0004929941.tif 000004